(57)【要約】【課題】チャンネルを切り替える際の操作性を向上させ得る選局装置を提供する。【解決手段】チューナ１１に受信させる放送信号Ｓｂのチャンネルを所定の選局モードで選局する選局処理部１２と、リモコン３における数字キーの操作に従って数字キーに割り当てられているチャンネルを選局する第１選局モード、および数字キーを用いたチャンネル番号の入力操作に従い入力されたチャンネル番号のチャンネルを選局する第２選局モードに選局処理部１２を設定する制御部２２とを備え、制御部２２は、選局処理部１２を第１選局モードに設定した状態において数字キーの操作が所定時間以内に２回操作されたときに選局処理部１２を第１選局モードから第２選局モードに切り替え設定する選局モード切り替え処理を実行する。【選択図】図１
2007281567.tif 000002
【特許請求の範囲】
【請求項１】
放送信号を受信する受信部と、所定の選局モードに設定されると共に前記受信部に受信
させる前記放送信号のチャンネルを当該選局モードで選局する選局部と、操作部における
数字キーの操作に従って当該数字キーに割り当てられている前記チャンネルを選局する前
記所定の選局モードとしての第１選局モード、および前記数字キーを用いたチャンネル番
号の入力操作に従い当該チャンネル番号の前記チャンネルを選局する前記所定の選局モー
ドとしての第２選局モードに前記選局部を設定する制御部とを備えた選局装置であって、
前記制御部は、前記選局部を前記第１選局モードに設定した状態において前記数字キー
が所定時間以内に２回操作されたときに前記選局部を前記第１選局モードから前記第２選
局モードに切り替え設定する選局モード切り替え処理を実行する選局装置。
【請求項２】
前記受信部は、複数の放送種類の放送信号を受信可能に構成され、
前記選局部は、選択された前記放送種類の前記チャンネルを選局し、
前記選局モード切り替え処理の対象とする前記放送種類を特定可能な処理対象情報を記
憶する記憶部を備え、
前記制御部は、前記記憶されている処理対象情報に基づき、前記選択された放送種類が
前記選局モード切り替え処理の対象であると判別したときに前記選局モード切り替え処理
を実行する請求項１記載の選局装置。
【請求項３】
前記制御部は、前記チャンネル番号が３桁以上に規定されている状態で、かつ前記選局
部を前記第２選局モードに設定した状態において、前記数字キーの３回目以降の各操作が
行われる以前に当該各操作の直前の操作から所定時間を経過したときに、前記選局部を前
記第２選局モードから前記第１選局モードに切り替え設定すると共に、当該各操作のうち
の最初の操作時の前記数字キーに割り当てられている前記チャンネルを前記選局部に選局
させる請求項１または２記載の選局装置。
【請求項４】
前記制御部は、前記選局部を前記第２選局モードに設定した状態で当該選局部によって
前記チャンネルが選局されたときに、前記選局部を前記第２選局モードから前記第１選局
モードに切り替え設定する請求項１から３のいずれかに記載の選局装置。
【請求項５】
放送信号を受信する受信部、所定の選局モードに設定されると共に前記受信部に受信さ
せる前記放送信号のチャンネルを当該選局モードで選局する選局部、並びに操作部におけ
る数字キーの操作に従って当該数字キーに割り当てられている前記チャンネルを選局する
前記所定の選局モードとしての第１選局モード、および前記数字キーを用いたチャンネル
番号の入力操作に従い当該チャンネル番号の前記チャンネルを選局する前記所定の選局モ
ードとしての第２選局モードに前記選局部を設定する制御部を有する選局装置と、前記放
送信号に基づく映像を表示する表示部とを備えたテレビであって、
前記制御部は、前記選局部を前記第１選局モードに設定した状態において前記数字キー
が所定時間以内に２回操作されたときに前記選局部を前記第１選局モードから前記第２選
局モードに切り替え設定する選局モード切り替え処理を実行するテレビ。
【請求項６】
受信部に受信させる放送信号のチャンネルを所定の選局モードで選局する選局部を、操
作部における数字キーの操作に従って当該数字キーに割り当てられている前記チャンネル
を選局する前記所定の選局モードとしての第１選局モード、および前記数字キーを用いた
チャンネル番号の入力操作に従い当該チャンネル番号の前記チャンネルを選局する前記所
定の選局モードとしての第２選局モードに設定する選局モード設定方法であって、
前記選局部を前記第１選局モードに設定した状態において前記数字キーが所定時間以内
に２回操作されたときに当該選局部を当該第１選局モードから前記第２選局モードに切り
替え設定する選局モード設定方法。
【発明の詳細な説明】
【技術分野】
【０００１】
本発明は、受信部に受信させる放送信号のチャンネルを所定の選局モードで選局可能に
構成された選局装置、テレビ、およびその選局モードを設定する選局モード設定方法に関
するものである。
【背景技術】
【０００２】
従来から行われている地上アナログ放送に加えて、近年、ＢＳデジタル放送、１１０度
ＣＳデジタル放送（以下、単に「ＣＳデジタル放送」ともいう）および地上デジタル放送
が開始され、これらの複数の放送種類の放送信号を受信可能なチューナを備えたテレビが
一般化している。この場合、ＣＳデジタル放送は、チャンネル数が多いため、ＣＳデジタ
ル放送のチャンネルを選局する（切り替える）際には、リモコンの数字キーを用いてチャ
ンネル番号を入力してチャンネルを選局する選局方法（番号指定選局）が便利である。一
方、地上アナログ放送、ＢＳデジタル放送および地上デジタル放送は、チャンネル数が比
較的少ないため、各数字キーにチャンネル番号（放送信号の周波数）を予め割り当ててお
き、１回の数字キーの操作によってその数字キーに割り当てられているチャンネルを選局
する選局方法（ダイレクト選局）が便利である。このため、この種のテレビでは、一般的
に、放送選択キー等を操作して放送種類を選択した後に、所定の操作キーを操作して選局
方法（選局モード）を選択して選局操作を行う構成が採用されている。しかしながら、こ
の構成では、選局モードを切り替える操作が必要な分、選局操作が煩雑であるという不都
合が生じている。
【０００３】
この不都合を解決するための手段として、特開２０００−１６５７７１号公報に開示さ
れたテレビジョン受像機が知られている。このテレビジョン受像機では、リモコンの数字
キーが操作されたときに、その数字キーの数字をチャンネル番号の先頭桁に含む全てのチ
ャンネルのチャンネルロゴやチャンネル番号（以下、区別してこれらを「チャンネル情報
」ともいう）が表示される。このため、例えば、所望のチャンネルのチャンネル番号の一
部しか覚えていない場合や、そのチャンネル番号を正確に覚えていない場合であっても、
その所望のチャンネルを比較的容易に選択することが可能となっている。
【特許文献１】特開２０００−１６５７７１号公報（第３頁、第２図）
【発明の開示】
【発明が解決しようとする課題】
【０００４】
ところが、従来のテレビジョン受像機には、以下の問題点がある。すなわち、このテレ
ビジョン受像機では、数字キーが操作されたときに、放送種類に関わりなくその数字キー
の数字を含む全てのチャンネルのチャンネル情報が表示され、その中から所望のチャンネ
ルを選択する必要がある。このため、この方法には、ダイレクト選局においては１回の操
作で完了する地上アナログ放送等のチャンネルの選局においても、複数回の操作が必要で
あるため、却って操作が煩雑になって操作性が低下しているという問題点が存在する。
【０００５】
本発明は、かかる問題点に鑑みてなされたものであり、チャンネルを切り替える際の操
作性を向上させ得る選局装置、テレビおよび選局制御方法を提供することを主目的とする
。
【課題を解決するための手段】
【０００６】
上記目的を達成すべく本発明に係る選局装置は、放送信号を受信する受信部と、所定の
選局モードに設定されると共に前記受信部に受信させる前記放送信号のチャンネルを当該
選局モードで選局する選局部と、操作部における数字キーの操作に従って当該数字キーに
割り当てられている前記チャンネルを選局する前記所定の選局モードとしての第１選局モ
ード、および前記数字キーを用いたチャンネル番号の入力操作に従い当該チャンネル番号
の前記チャンネルを選局する前記所定の選局モードとしての第２選局モードに前記選局部
を設定する制御部とを備えた選局装置であって、前記制御部は、前記選局部を前記第１選
局モードに設定した状態において前記数字キーが所定時間以内に２回操作されたときに前
記選局部を前記第１選局モードから前記第２選局モードに切り替え設定する選局モード切
り替え処理を実行する。
【０００７】
また、本発明に係るテレビは、放送信号を受信する受信部、所定の選局モードに設定さ
れると共に前記受信部に受信させる前記放送信号のチャンネルを当該選局モードで選局す
る選局部、並びに操作部における数字キーの操作に従って当該数字キーに割り当てられて
いる前記チャンネルを選局する前記所定の選局モードとしての第１選局モード、および前
記数字キーを用いたチャンネル番号の入力操作に従い当該チャンネル番号の前記チャンネ
ルを選局する前記所定の選局モードとしての第２選局モードに前記選局部を設定する制御
部を有する選局装置と、前記放送信号に基づく映像を表示する表示部とを備えたテレビで
あって、前記制御部は、前記選局部を前記第１選局モードに設定した状態において前記数
字キーが所定時間以内に２回操作されたときに前記選局部を前記第１選局モードから前記
第２選局モードに切り替え設定する選局モード切り替え処理を実行する。
【０００８】
また、本発明に係る選局モード設定方法は、受信部に受信させる放送信号のチャンネル
を所定の選局モードで選局する選局部を、操作部における数字キーの操作に従って当該数
字キーに割り当てられている前記チャンネルを選局する前記所定の選局モードとしての第
１選局モード、および前記数字キーを用いたチャンネル番号の入力操作に従い当該チャン
ネル番号の前記チャンネルを選局する前記所定の選局モードとしての第２選局モードに設
定する選局モード設定方法であって、前記選局部を前記第１選局モードに設定した状態に
おいて前記数字キーが所定時間以内に２回操作されたときに当該選局部を当該第１選局モ
ードから前記第２選局モードに切り替え設定する。
【０００９】
この選局装置、テレビおよび選局モード設定方法によれば、選局部を第１選局モードに
設定した状態において数字キーが所定時間以内に２回操作されたときに選局部を第１選局
モードから第２選局モードに切り替え設定することにより、数字キーを所定時間以内に２
回操作するだけで第１選局モードから第２選局モードに切り替えることができる。このた
め、チャンネル番号の入力操作によってチャンネルを切り替えようとしたときに、たとえ
操作前の選局モードが第１選局モードに設定されていたとしても、選局モードを切り替え
る操作を行うことなく、数字キーを操作して所定時間以内に所望のチャンネル番号を入力
することで、そのチャンネルを迅速かつ容易に選局することができる。また、数字キーを
操作した時点から所定時間が経過するまでの間に数字キーの２回目の操作がされなかった
ときには、選局部が第１選局モードに設定された状態に維持されて、最初に操作された数
字キーに割り当てられているチャンネルが選局部によって選局される。このため、放送種
類に関わりなく複数回の操作が必要な従来のテレビジョン受像機とは異なり、チャンネル
数の少ないＢＳデジタル放送、地上デジタル放送および地上アナログ放送については、１
回の数字キーの操作で選局（チャンネル切り替え）を行うことができる。したがって、こ
の選局装置、テレビおよび選局モード設定方法によれば、チャンネルを切り替える際の操
作性を十分に向上させることができる。
【００１０】
また、本発明に係る選局装置は、上記の選局装置において、前記受信部は、複数の放送
種類の放送信号を受信可能に構成され、前記選局部は、選択された前記放送種類の前記チ
ャンネルを選局し、前記選局モード切り替え処理の対象とする前記放送種類を特定可能な
処理対象情報を記憶する記憶部を備え、前記制御部は、前記記憶されている処理対象情報
に基づき、前記選択された放送種類が前記選局モード切り替え処理の対象であると判別し
たときに前記選局モード切り替え処理を実行する。
【００１１】
この選局装置によれば、制御部が、選択された放送種類が選局モード切り替え処理の対
象であると判別したときに選局モード切り替え処理を実行することにより、チャンネル数
の少ないＢＳデジタル放送、地上デジタル放送および地上アナログ放送を選択していると
きには、選局処理部を第１選局モードに固定的に設定することで、短い時間（所定時間）
の間に数字キーを複数回操作したとしても、選局モード切り替え処理が実行されて所望の
チャンネルとは異なるチャンネルが選局される事態を確実に防止することができる。
【００１２】
また、本発明に係る選局装置は、上記の選局装置において、前記制御部は、前記チャン
ネル番号が３桁以上に規定されている状態で、かつ前記選局部を前記第２選局モードに設
定した状態において、前記数字キーの３回目以降の各操作が行われる以前に当該各操作の
直前の操作から所定時間を経過したときに、前記選局部を前記第２選局モードから前記第
１選局モードに切り替え設定すると共に、当該各操作のうちの最初の操作時の前記数字キ
ーに割り当てられている前記チャンネルを前記選局部に選局させる。
【００１３】
この選局装置によれば、選局部を第２選局モードに設定した状態において、数字キーの
３回目以降の各操作が行われる以前に各操作の直前の操作から所定時間を経過したときに
、選局部を第２選局モードから第１選局モードに切り替え設定すると共に、各操作のうち
の最初の操作時の数字キーに割り当てられているチャンネルを選局部に選局させることに
より、例えば、第１選局モードでの選局を意図して数字キーを操作した際に、誤って数字
キーを２回操作してしまったとしても、所定時間を経過した時点で最初に操作した数字キ
ーに割り当てられているチャンネルを確実に選局させることができる。
【００１４】
また、本発明に係る選局装置は、上記の選局装置において、前記制御部は、前記選局部
を前記第２選局モードに設定した状態で当該選局部によって前記チャンネルが選局された
ときに、前記選局部を前記第２選局モードから前記第１選局モードに切り替え設定する。
【００１５】
この選局装置によれば、選局部を第２選局モードに設定した状態で選局部によってチャ
ンネルが選局されたときに、選局部を第２選局モードから第１選局モードに切り替え設定
することにより、チャンネル切り替えを行う度に選局モード切り替え処理を確実に実行さ
せることができる結果、放送種類を変更しつつチャンネル切り替えを連続して行うときで
あっても常に同じ操作性を維持することができる。
【発明を実施するための最良の形態】
【００１６】
以下、本発明に係る選局装置、テレビおよび選局制御方法の最良の形態について、添付
図面を参照して説明する。図１に示すプロジェクションテレビ（以下、単に「テレビ」と
もいう）１は、本発明に係るテレビの一例であって、同図に示すように、本体部２および
リモコン３を備えて構成されている。本体部２は、チューナ１１、選局処理部１２、記憶
部１３、映像音声処理部１４、映像出力部１５、表示部１６、音声出力部１７、スピーカ
１８、受光部１９、キー入力処理部２０、タイマ２１および制御部２２を備えている。こ
の場合、チューナ１１、選局処理部１２、記憶部１３、映像音声処理部１４、受光部１９
、キー入力処理部２０、タイマ２１および制御部２２によって本発明に係る選局装置が構
成される。
【００１７】
チューナ１１は、本発明における受信部に相当し、本発明における複数の放送種類に相
当するＢＳデジタル放送、ＣＳデジタル放送、地上デジタル放送および地上アナログ放送
の各放送信号Ｓｂを受信可能に構成されている。具体的には、チューナ１１は、、ＢＳデ
ジタル放送の放送信号Ｓｂを受信するＢＳデジタル受信回路４１ａ、ＣＳデジタル放送を
受信するＣＳデジタル受信回路４１ｂ、地上デジタル放送を受信する地上デジタル受信回
路４１ｃ、および地上アナログ放送を受信する地上アナログ受信回路４１ｄ（以下、各受
信回路４１ａ〜４１ｄを区別しないときには「受信回路４１」ともいう）を備えて構成さ
れている。この場合、各受信回路４１は、選局処理部１２によって選局されたチャンネル
の放送信号Ｓｂを図外のアンテナで受信した放送波から抽出して映像音声処理部１４に出
力する。
【００１８】
選局処理部１２は、本発明における選局部に相当し、制御部２２の制御に従い、チュー
ナ１１に受信させる（抽出させる）放送信号Ｓｂのチャンネルを、制御部２２によって設
定された所定の選局モードで選局する。この場合、このテレビ１では、図２に示すリモコ
ン３の数字キー３２ａ〜３２ｌ（以下、区別しないときには「数字キー３２」ともいう）
の操作に従って各数字キー３２に割り当てられているチャンネルを選局するダイレクト選
局モード（本発明における第１選局モード）、数字キー３２を用いてチャンネル番号を指
定（入力）する操作に従って指定されたチャンネル番号のチャンネルを選局する番号指定
選局モード（本発明における第２選局モード）、およびチャンネル番号の昇順または降順
でチャンネルを順次選局するアップダウン選局モード等の選局モードでチャンネルの選局
を実行することが可能となっている。
【００１９】
記憶部１３は、リモコン３の各数字キー３２（図２参照）と各数字キー３２に割り当て
られるチャンネル（チャンネル番号）とを対応付けた対応付けデータを記憶する。また、
記憶部１３は、制御部２２によって実行される選局処理５０（図３参照）において用いら
れる処理対象情報Ｄｓ（本発明における処理対象情報）を記憶する。この場合、処理対象
情報Ｄｓは、選局処理５０において制御部２２によって実行される選局モード切り替え処
理（これについては後述する）の対象とする放送種類を特定可能に構成されている。具体
的には、図５に概念的に示すように、選局モード切り替え処理の対象とする放送種類（例
えば、ＣＳデジタル放送）には、その旨を示すフラグ（同図における「Ｙｅｓ」のフラグ
）が付されている。また、選局モード切り替え処理の対象とはしない放送種類（例えば、
ＢＳデジタル放送、地上デジタル放送および地上アナログ放送）には、その旨を示すフラ
グ（同図における「Ｎｏ」のフラグ）が付されている。
【００２０】
映像音声処理部１４は、制御部２２の制御に従い、チューナ１１から出力される放送信
号Ｓｂに基づく映像信号Ｓｐ１および音声信号Ｓｓ１を映像出力部１５および音声出力部
１７にそれぞれ出力する。映像出力部１５は、制御部２２の制御に従い、映像音声処理部
１４から出力された映像信号Ｓｐ１や図外のメモリに記憶されている映像データに基づい
て映像表示用の映像信号Ｓｐ２を生成して表示部１６に出力する。表示部１６は、一例と
して、光学エンジンおよびスクリーンパネル（いずれも図示せず）を備えて構成され、映
像出力部１５からの映像信号Ｓｐ２に基づいて光変調した投射光をスクリーンパネルに背
面側から投射することにより、各種映像を表示する。
【００２１】
音声出力部１７は、映像音声処理部１４から出力された音声信号Ｓｓ１を増幅して音声
信号Ｓｓ２としてスピーカ１８に出力する。スピーカ１８は、音声出力部１７から出力さ
れた音声信号Ｓｓ２に基づく音声を出力する。なお、本明細書における「音声」には、人
の声のみならず、鳥の鳴き声、風の音および音楽等の各種の「音」が含まれる。受光部１
９は、リモコン３から出力される赤外線信号Ｓｉを受光して操作信号Ｓｏを出力する。キ
ー入力処理部２０は、受光部１９から出力された操作信号Ｓｏに対応する制御信号Ｓｃを
制御部２２に出力する。タイマ２１は、制御部２２の制御に従って作動し、制御部２２に
よって設定される待機時間（本発明における所定時間）ｔ１，ｔ２を経過した時点で、タ
イマ信号Ｓｔ１，Ｓｔ２をそれぞれ出力する。制御部２２は、キー入力処理部２０から出
力される制御信号Ｓｃに従ってテレビ１を構成する各部を制御する。また、制御部２２は
、リモコン３の数字キー３２に対応する制御信号Ｓｃがキー入力処理部２０から出力され
たときには、図３に示す選局処理５０を実行する。この場合、制御部２２は、選局処理５
０の実行時において、本発明に係る選局モード設定方法に従い、選局処理部１２を上記し
たダイレクト選局モードおよび番号指定選局モードのいずれか一方からいずれか他方に切
り替える選局モード切り替え処理を実行する。
【００２２】
リモコン３は、図２に示すように、本体部２とは別体に形成されている。また、リモコ
ン３は、電源キー３１、１２個の数字キー３２ａ〜３２ｌ、チャンネルアップダウンキー
３３、カーソルキー３４および放送種類選択キー３５などの各種操作キーが配列されて構
成され、これらの操作キーが操作されたときに、各操作キーに対応する赤外線信号Ｓｉを
出力（送信）する。
【００２３】
次に、テレビ１の全体的な動作について、図面を参照して説明する。なお、初期状態に
おいて、図５に概念的に示す処理対象情報Ｄｓが記憶部１３に記憶されているものとする
。また、ＣＳデジタル放送のチャンネル番号の桁数は、３桁に規定されされているものと
する。さらに、「１」の数字が付された数字キー３２ａ（図２参照）には、ＣＳデジタル
放送における１０１チャンネル（ＣＳ１０１チャンネル）、およびＢＳデジタル放送にお
ける１０２チャンネル（ＢＳ１０２チャンネル）が割り当てられて、これらのチャンネル
と数字キー３２ａとを対応付けた対応付けデータが記憶部１３に記憶されているものとす
る。また、初期状態において、選局処理部１２がダイレクト選局モードに設定されている
ものとする。
【００２４】
このテレビ１では、リモコン３の電源キー３１が操作されたときに、リモコン３が電源
キー３１に対応する赤外線信号Ｓｉを出力し、受光部１９が、赤外線信号Ｓｉを受光して
操作信号Ｓｏを出力する。次いで、キー入力処理部２０がその操作信号Ｓｏ、つまり電源
キー３１に対応する制御信号Ｓｃを制御部２２に出力する。これに応じて、制御部２２が
、図外の電源部を制御してテレビ１の各部に電源を供給させる。続いて、選局処理部１２
が、制御部２２の制御に従い、直前の電源切断時に選択されていた放送種類（例えばＣＳ
デジタル放送）において選局していたチャンネル（例えばＣＳ１０２チャンネル）を選局
し、チューナ１１のＣＳデジタル回路４１ｂが選局処理部１２によって選局されたＣＳ１
０２チャンネルの放送信号Ｓｂを映像音声処理部１４に出力する。次いで、映像音声処理
部１４が、チューナ１１から出力された放送信号Ｓｂに基づく映像信号Ｓｐ１および音声
信号Ｓｓ１を映像出力部１５および音声出力部１７にそれぞれ出力する。
【００２５】
続いて、映像出力部１５が、映像信号Ｓｐ１および図外のメモリに記憶されている映像
データに基づいて映像信号Ｓｐ２を生成して表示部１６に出力する。次いで、表示部１６
の光学エンジンが映像信号Ｓｐ２に基づいて光変調した投射光をスクリーンパネルに投射
する。また、音声出力部１７が、映像音声処理部１４から出力された音声信号Ｓｓ１を増
幅して音声信号Ｓｓ２をスピーカ１８に出力する。これにより、図２に示すように、ＣＳ
１０２チャンネルのテレビ映像Ｐｔ１にＣＳ１０２チャンネルのチャンネル番号Ｃｎ１を
重ね合わせた映像Ｐ１が表示部１６に表示されると共に、ＣＳ１０２チャンネルの音声が
スピーカ１８から出力される。
【００２６】
次に、例えば、ＣＳ１０２チャンネルからＣＳ１２５チャンネルにチャンネル切り替え
をするときは、図４の右上段図に示すように、ＣＳ１２５チャンネルのチャンネル番号「
１２５」のうちの１桁目（百の位）の「１」の数字をリモコン３の数字キー３２ａを操作
して入力する。この際に、リモコン３が数字キー３２ａに対応する赤外線信号Ｓｉを出力
し、キー入力処理部２０が数字キー３２ａに対応する制御信号Ｓｃを制御部２２に出力す
る。これに応じて、制御部２２は、映像出力部１５を制御することにより、図４に示す映
像Ｐ２のように、ＣＳ１０２チャンネルのチャンネル番号Ｃｎ１に代えて、数字キー３２
ａに割り当てられているＣＳ１０１チャンネルのチャンネル番号Ｃｎ２をＣＳ１０２チャ
ンネルのテレビ映像Ｐｔ１に重ね合わせて表示させる。また、制御部２２は、制御信号Ｓ
ｃに従い、図３に示す選局処理５０を実行する。この選局処理５０では、制御部２２は、
記憶部１３に記憶されている処理対象情報Ｄｓに基づき、現在放送信号Ｓｂを出力してい
る受信回路４１、つまり現在選択されている放送種類が選局モード切り替え処理の対象で
あるか否かを判別する（ステップ５１）。
【００２７】
この場合、図５に示すように、現在選択されているＣＳデジタル放送にＹｅｓのフラグ
が付されているため、制御部２２は、ＣＳデジタル放送が選局モード切り替え処理の対象
であると判別して、２回目の制御信号Ｓｃが入力されるまで待機する待機時間ｔ１を例え
ば０．５秒に設定すると共に、タイマ２１をスタートさせる（ステップ５２）。続いて、
制御部２２は、タイマ２１からタイマ信号Ｓｔ１が出力されたか否か、つまり待機時間ｔ
１を経過したか否かを判別し（ステップ５３）、待機時間ｔ１を経過していないときには
、数字キー３２に対応する制御信号Ｓｃが出力されたか否かを判別する（ステップ５４）
。この場合、数字キー３２に対応する制御信号Ｓｃが出力されないときには、制御部２２
は、ステップ５３，５４の判別処理を繰り返して実行する。
【００２８】
一方、図４の右中段図に示すように、上記した「１」の数字の入力に続いて、チャンネ
ル番号「１２５」のうちの２桁目（十の位）の「２」の数字を、待機時間ｔ１を経過する
以前にリモコン３の数字キー３２ｂを操作して入力したときには、制御部２２は、ステッ
プ５４において、数字キー３２に対応する制御信号Ｓｃが出力されたと判別する。この際
には、制御部２２は、選局モード切り替え処理を実行して、選局処理部１２の選局モード
をダイレクト選局モードから番号指定選局モードに切り替え設定する。また、制御部２２
は、映像出力部１５を制御することにより、図４に示す映像Ｐ３のように、「ＣＳ」の文
字、数字キー３２ａ，３２ｂの操作によって入力された「１」および「２」の数字、およ
び次の数字の入力を促す「＿」（アンダーバー）の記号からなる映像Ｐｉ１をテレビ映像
Ｐｔ１に重ね合わせて表示させる（ステップ５５）。続いて、制御部２２は、３回目の制
御信号Ｓｃが入力されるまで待機する待機時間ｔ２を例えば１秒に設定すると共に、タイ
マ２１をスタートさせる（ステップ５６）。
【００２９】
次いで、制御部２２は、タイマ２１からタイマ信号Ｓｔ２が出力されたか否か、つまり
待機時間ｔ２を経過したか否かを判別し（ステップ５７）、待機時間ｔ２を経過していな
いときには、数字キー３２に対応する制御信号Ｓｃが出力されたか否かを判別する（ステ
ップ５８）。この場合、数字キー３２に対応する制御信号Ｓｃが出力されないときには、
制御部２２は、ステップ５７，５８の判別処理を繰り返して実行する。
【００３０】
一方、図４の右下段図に示すように、上記した「１」および「２」の数字の入力に続い
て、チャンネル番号「１２５」のうちの３桁目（一の位）の「５」の数字を、待機時間ｔ
２を経過する以前にリモコン３の数字キー３２ｅを操作して入力したときには、制御部２
２は、ステップ５８において、数字キー３２に対応する制御信号Ｓｃが出力されたと判別
する。この際には、制御部２２は、選局処理部１２を制御して、数字キー３２ａ，３２ｂ
，３２ｅの操作によって入力された「１２５」のチャンネル番号のチャンネル（ＣＳ１２
５チャンネル）を選局させる（ステップ５９）。次いで、チューナ１１のＣＳデジタル受
信回路４１ｂが選局処理部１２によって選局されたＣＳ１２５チャンネルの放送信号Ｓｂ
を抽出して映像音声処理部１４に出力する。これにより、図４に示す映像Ｐ４のように、
ＣＳ１２５チャンネルのテレビ映像Ｐｔ２がＣＳ１２５チャンネルのチャンネル番号Ｃｎ
３と共に表示部１６に表示される。続いて、制御部２２は、選局処理部１２の選局モード
を番号指定選局モードからダイレクト選局モードに切り替えて（ステップ６０）、選局処
理５０を終了する。
【００３１】
一方、制御部２２は、ステップ５３において、タイマ２１からタイマ信号Ｓｔ１が出力
されたと判別したとき、つまり図６に示すように、上記した数字キー３２ａの操作時点か
ら数字キー３２に対応する制御信号Ｓｃの２回目の出力以前に待機時間ｔ１を経過したと
きには、選局処理部１２を番号指定選局モードに切り替えることなくダイレクト選局モー
ドに設定した状態を維持する。続いて、制御部２２は、最初に操作された数字キー３２ａ
に割り当てられているＣＳ１０１チャンネルを選局処理部１２に選局させて（ステップ６
１）、選局処理５０を終了する。この際には、チューナ１１のＣＳデジタル受信回路４１
ｂが選局処理部１２によって選局されたＣＳ１０１チャンネルの放送信号Ｓｂを抽出して
映像音声処理部１４に出力する。これにより、同図に示す映像Ｐ５のように、ＣＳ１０１
チャンネルのテレビ映像Ｐｔ３がＣＳ１０１チャンネルのチャンネル番号Ｃｎ２と共に表
示部１６に表示される。
【００３２】
また、制御部２２は、ステップ５７において、タイマ２１からタイマ信号Ｓｔ２が出力
されたと判別したとき、つまり図７に示すように、上記した数字キー３２ｂの操作時点か
ら数字キー３２に対応する制御信号Ｓｃの３回目の出力以前に待機時間ｔ２を経過したと
きには、選局処理部１２を番号指定選局モードからダイレクト選局モードに切り替える（
初期状態に戻す）。次いで、制御部２２は、最初に操作された数字キー３２ａに割り当て
られているＣＳ１０１チャンネルを選局処理部１２に選局させて（ステップ６１）、選局
処理５０を終了する。この際には、チューナ１１のＣＳデジタル受信回路４１ｂが選局処
理部１２によって選局されたＣＳ１０１チャンネルの放送信号Ｓｂを抽出して映像音声処
理部１４に出力する。したがって、この際にも、同図に示す映像Ｐ５のように、ＣＳ１０
１チャンネルのテレビ映像Ｐｔ３がＣＳ１０１チャンネルのチャンネル番号Ｃｎ２と共に
表示部１６に表示される。
【００３３】
一方、最初の数字キー３２の操作時点において例えばＢＳデジタル放送が選択されてい
たときには、図５に示すように、ＢＳデジタル放送にＮｏのフラグが付されているため、
制御部２２は、上記した選局処理５０のステップ５１において、現在選択されている放送
種類が選局モード切り替え処理の対象ではないと判別する。この場合、制御部２２は、選
局処理部１２を番号指定選局モードに切り替えることなくダイレクト選局モードに設定し
た状態を維持して、最初に操作された数字キー３２ａに割り当てられているＢＳデジタル
放送の１０２チャンネル（ＢＳ１０２チャンネル）を選局処理部１２に選局させて（ステ
ップ６１）、選局処理５０を終了する。この際には、チューナ１１のＢＳデジタル回路４
１ａが選局処理部１２によって選局されたＢＳ１０２チャンネルの放送信号Ｓｂを抽出し
て映像音声処理部１４に出力することにより、ＢＳ１０２チャンネルのテレビ映像Ｐｔが
ＢＳ１０２チャンネルのチャンネル番号Ｃｎと共に表示部１６に表示される。
【００３４】
このように、このテレビ１および選局モード設定方法によれば、制御部２２が、選局処
理部１２をダイレクト選局モードに設定した状態において数字キー３２が待機時間ｔ１以
内に２回操作されたときに選局処理部１２をダイレクト選局モードから番号指定選局モー
ドに切り替え設定する選局モード切り替え処理を実行することにより、数字キー３２を待
機時間ｔ１以内に２回操作するだけでダイレクト選局モードから番号指定選局モードに切
り替えることができる。このため、例えば、チャンネル番号の入力操作によってチャンネ
ル数の多いＣＳデジタル放送のチャンネルを選局（切り替え）しようとしたときに、たと
え操作前の選局モードがダイレクト選局モードに設定されていたとしても、選局モードを
切り替える操作を行うことなく、数字キー３２を操作して所定時間以内に所望のチャンネ
ル番号を入力することで、そのチャンネルを迅速かつ容易に選局することができる。また
、数字キー３２を操作した時点から待機時間ｔ１が経過するまでの間に数字キー３２ｂの
２回目の操作がされなかったときには、選局処理部１２がダイレクト選局モードに設定さ
れた状態に維持されて、最初に操作された数字キー３２に割り当てられているチャンネル
が選局処理部１２によって選局される。このため、放送種類に関わりなく複数回の操作が
必要な従来のテレビジョン受像機とは異なり、チャンネル数の少ないＢＳデジタル放送、
地上デジタル放送および地上アナログ放送については、１回の数字キー３２の操作で選局
（チャンネル切り替え）を行うことができる。したがって、このテレビ１および選局モー
ド設定方法によれば、チャンネルを切り替える際の操作性を十分に向上させることができ
る。
【００３５】
また、このテレビ１によれば、制御部２２が、選択された放送種類が選局モード切り替
え処理の対象であると判別したときに選局モード切り替え処理を実行することにより、チ
ャンネル数の少ないＢＳデジタル放送、地上デジタル放送および地上アナログ放送を選択
しているときには、選局処理部１２をダイレクト選局モードに固定的に設定することで、
短い時間（待機時間ｔ１）の間に数字キー３２を複数回操作したとしても、選局モード切
り替え処理が実行されて所望のチャンネルとは異なるチャンネルが選局される事態を確実
に防止することができる。
【００３６】
また、このテレビ１によれば、選局処理部１２を番号指定選局モードに設定した状態に
おいて、数字キー３２の３回目の操作が行われる以前に２回目の操作から待機時間ｔ２を
経過したときに、制御部２２が選局処理部１２を番号指定選局モードからダイレクト選局
モードに切り替え設定すると共に、最初の操作時の数字キー３２に割り当てられているチ
ャンネルを選局処理部１２に選局させることにより、例えば、ダイレクト選局を意図して
数字キー３２を操作した際に、誤って数字キー３２を２回操作してしまったとしても、待
機時間ｔ２を経過した時点で最初に操作した数字キー３２に割り当てられているチャンネ
ルを確実に選局させることができる。
【００３７】
また、このテレビ１によれば、制御部２２が、選局処理部１２を番号指定選局モードに
設定した状態で選局処理部１２によってチャンネルが選局されたときに、選局処理部１２
を番号指定選局モードからダイレクト選局モードに切り替えることにより、チャンネル切
り替えを行う度に選局モード切り替え処理を確実に実行させることができる結果、放送種
類を変更しつつチャンネル切り替えを連続して行うときであっても常に同じ操作性を維持
することができる。
【００３８】
なお、本発明は、上記の構成に限定されない。例えば、上記した選局処理５０において
最初に数字キー３２が操作されたときに、その操作直前に選局されていたチャンネルのテ
レビ映像Ｐｔ（上記の例ではテレビ映像Ｐｔ１）が継続して表示され、チャンネル番号Ｃ
ｎだけを変更（上記の例ではチャンネル番号Ｃｎ１からチャンネル番号Ｃｎ２に変更）し
て表示する例について上記したが、他の表示方法を採用することもできる。具体的には、
最初の数字キー３２が操作されたときに、その数字キー３２に割り当てられているチャン
ネルのテレビ映像Ｐｔ（上記例ではテレビ映像Ｐｔ３）を一旦表示させて、所定時間以内
にチャンネル番号の入力を終了したときに、そのチャンネルのテレビ映像Ｐｔ（上記例で
はテレビ映像Ｐｔ２）を表示させる方法を採用することができる。
【００３９】
また、待機時間ｔ１，ｔ２をそれぞれ０．５秒および１秒に設定する例について上記し
たが、待機時間ｔ１，ｔ２の長さはこれに限定されず、任意に規定することができる。こ
の場合、例えば設定画面から待機時間ｔ１，ｔ２を任意の時間に設定可能な構成を採用す
ることもできる。また、選局処理部１２を番号指定選局モードに設定した状態において選
局処理部１２によってチャンネルが選局されたときに、選局処理部１２を番号指定選局モ
ードからダイレクト選局モードに切り替える構成、つまり選局処理部１２の選局モードを
初期状態に自動的に戻す構成例について上記したが、選局処理部１２の選局モードを番号
指定選局モードのままの状態に維持する構成を採用することもできる。
【００４０】
また、光学エンジンおよびスクリーンパネルを有する表示部１６を備えたプロジェクシ
ョンテレビ１に本発明を適用した例について上記したが、ＣＲＴ、液晶表示パネルおよび
プラズマディスプレイ等で構成された表示部を備えたテレビに本発明を適用することもで
きる。また、映像出力部１５、表示部１６、音声出力部１７およびスピーカ１８を備えて
いないＢＳチューナ、ＣＳチューナ、アナログ放送用のチューナ、および有線放送用のチ
ューナ等の各種の選局装置、並びにこれらの選局装置を備えたＶＴＲ、ＤＶＤレコーダお
よびハードディスクレコーダ等のＡＶ機器等に本発明を適用することもできる。
【図面の簡単な説明】
【００４１】
【図１】プロジェクションテレビ１の構成を示すブロック図である。
【図２】プロジェクションテレビ１の正面図である。
【図３】選局処理５０のフローチャートである。
【図４】映像Ｐ１〜Ｐ４の表示画面図である。
【図５】処理対象情報Ｄｓの情報内容を概念的に示す説明図である。
【図６】映像Ｐ２，Ｐ５の表示画面図である。
【図７】映像Ｐ１〜Ｐ３，Ｐ５の表示画面図である。
【符号の説明】
【００４２】
１  プロジェクションテレビ、３  リモコン、Ｓｂ  放送信号、１１  チューナ、１２
選局処理部、１３  記憶部、２２  制御部、３２  数字キー、Ｄｓ  処理対象情報、ｔ
１，ｔ２  待機時間
【図１】
2007281567.tif 000003
【図２】
2007281567.tif 000004
【図３】
2007281567.tif 000005
【図４】
2007281567.tif 000006
【図５】
2007281567.tif 000007
【図６】
2007281567.tif 000008
【図７】
2007281567.tif 000009